(57)【要約】【課題】簡単な構成でありながら、こたつ布団の内周部を全体的にしっかりと天板に取り付けることができる布団取り付け構造を備えたこたつを提供する。【解決手段】こたつ布団９の内周部の裏面に、一辺部ごとに、周方向又は長さ方向に間隔を有して複数個の固定プレート３５を固定しておく。こたつ布団９の固定プレート３５を、固定プレート３５側からＴ字ロックピン４７を天板３の接続孔１５に差し込んで天板３に接続し、こたつ布団９を天板３に取り付ける。固定プレート３５が湾曲し、固定プレート３５が天板３の裏面７に強く押し付けられるように、Ｔ字ロックピン４７で固定プレート３５を押え付ける。【選択図】図１０
2011106797.tif 000002
【特許請求の範囲】
【請求項１】
天板と、この天板の４隅に設けられた支持脚と、内周部が前記天板の外周部に取り付けられたこたつ布団と、を有するこたつであって、
前記こたつ布団の前記内周部の外側には固定プレートが固定され、
前記こたつ布団の前記内周部は、前記固定プレートを、前記こたつ布団の前記内周部を挟んで、前記天板の前記外周部に取り外し可能に接続することにより、前記天板の前記外周部に取り付けられていて、
前記固定プレートは、この固定プレートの周方向又は長さ方向中央部に配置された挿入接続軸部材によって前記天板の前記外周部に接続され、
前記固定プレートの周方向又は長さ方向中央部は、前記挿入接続軸部材に押されて湾曲している、ことを特徴とするこたつ。
【請求項２】
前記固定プレートは、周方向又は長さ方向に細長く延びるように形成されている、ことを特徴とする請求項１記載のこたつ。
【請求項３】
前記固定プレートは、前記こたつ布団の前記内周部の一辺部分にそれぞれ、周方向又は長さ方向に間隔を設けて複数個固定されている、ことを特徴とする請求項１又は２記載のこたつ。
【請求項４】
前記こたつ布団の前記内周部の角部には、Ｌ字型の前記固定プレートが固定されている、ことを特徴とする請求項３記載のこたつ。
【請求項５】
前記支持脚の上端面からは雄ネジシャフトが突出し、
前記支持脚は、前記上端面が前記天板に接触するまで、前記雄ネジシャフトを前記天板の４隅に形成された雌ネジ孔にねじ込むことにより、前記天板に取り付けられていて、
前記支持脚の上端部外周には、上端が前記上端面よりも低く位置する引っ掛けピンが設けられ、
前記こたつ布団に形成された引っ掛け孔に前記引っ掛けピンが嵌るようにして、前記こたつ布団は前記天板の外周部に取り付けられている、ことを特徴とする請求項１、２、３又は４記載のこたつ。
【請求項６】
前記挿入接続軸部材は、前記固定プレートの外側の接続頭部と、この接続頭部から、前記固定プレート及び前記こたつ布団の前記内周部を貫通して延びる軸部と、この軸部の先端部に、前記軸部の延びる方向と直交するように設けられたフック部と、を有していて、
この挿入接続軸部材の前記軸部を前記天板の前記外周部に設けられた接続凹部に挿入し、前記接続頭部を操作して前記挿入接続軸部材を回転させ、前記フック部を前記接続凹部の係合部に引っ掛けることにより、前記固定プレートが前記天板の前記外周部に接続される、ことを特徴とする請求項１、２、３、４又は５記載のこたつ。
【請求項７】
前記固定プレートの周方向又は長さ方向両側は、内側に固定頭部を有する固定ピンによって前記こたつ布団の前記内周部に固定されていて、
前記固定プレートは、前記挿入接続軸部材の前記接続頭部に押され、前記固定ピンの前記固定頭部を前記天板の前記外周部に押圧するように前記固定ピンの間で湾曲している、ことを特徴とする請求項６記載のこたつ。
【請求項８】
前記こたつ布団は１つの角部で切断され、切断された部分にはファスナが設けられていて、このファスナを開くことにより、こたつ布団の角部を内端から外端部又は外端まで開けることができる、ことを特徴とする請求項１、２、３、４、５、６又は７記載のこたつ。
【請求項９】
前記ファスナが離れる方向に引っ張られて開いてしまうのを防止する開き防止構造が設けられていて、この開き防止構造は、前記ファスナを堺に、一方側の前記こたつ布団に基端部が固定され、他方側の前記こたつ布団に他端部が取り外し可能に接続された開き防止片を有している、ことを特徴とする請求項８記載のこたつ。
【請求項１０】
天板と、この天板の４隅に設けられた支持脚と、内周部が前記天板の外周部に取り付けられたこたつ布団と、を有するこたつであって、
前記こたつ布団の前記内周部の外側には固定プレートが固定され、
前記こたつ布団の前記内周部は、前記固定プレートを、前記こたつ布団の前記内周部を挟んで、前記天板の前記外周部に取り外し可能に接続することにより、前記天板の前記外周部に取り付けられていて、
前記固定プレートの周方向又は長さ方向両側は、内側に固定頭部を有する固定ピンによって前記こたつ布団の前記内周部に固定され、
前記固定プレートは、この固定プレートの周方向又は長さ方向中央部に配置された接続軸部材によって前記天板の前記外周部に接続され、
前記固定プレートの周方向又は長さ方向中央部は、前記接続軸部材に押されて、前記固定ピンの前記固定頭部を前記天板の前記外周部に押圧するように前記固定ピンの間で湾曲している、ことを特徴とするこたつ。
【発明の詳細な説明】
【技術分野】
【０００１】
本発明は、こたつに関し、より詳しくは、天板に支持脚及びこたつ布団を直接又は直接的に取り付ける形式のこたつに関する。
【背景技術】
【０００２】
暖房器具であるこたつとしては、中天板の４隅角部に取り付け部を設け、この取り付け部に支持脚を接続してこたつ櫓を構成し、このこたつ櫓にこたつ布団をかぶせるとともに、こたつ布団を介して中天板上に天板を載置する構成ものが用いられているが、天板に支持脚及びこたつ布団を直接又は直接的に取り付ける構成のこたつも利用されている。このような後者の形式のこたつの場合には、天板にこたつ布団を簡単に取り付けたり、天板からこたつ布団を簡単に取り外したりできるように構成するとともに、こたつ布団の取り付け時に、こたつ布団の内周部に垂れ下がり部分などが生じないように、内周部が全体的に天板にしっかりと固定されるように構成する必要がある。
【０００３】
こたつ布団の天板あるいはテーブルへの取り付け方法としては、こたつ布団の内周部に鳩目を取り付けておき、この鳩目内に、テーブルから突出する掛止具の摘子部を嵌め込み、この摘子部を回転させるもの（例えば特許文献１参照）、あるいは、天板の側面に係止した取付枠の凹溝に押え部材でこたつ布団の内周部を固定したり、天板に設けた係止ピンにこたつ布団の内周部の係止孔を嵌め付け、こたつ布団の内周部を化粧枠で押えたりするもの（例えば特許文献２参照）などが用いられている。
【先行技術文献】
【特許文献】
【０００４】
【特許文献１】実願昭４７−１２６０６６号明細書・図面（実開昭４９−８４３８２号）
【特許文献２】実願平１−８０５８０号明細書・図面（実開平０３−２７５０３号）
【発明の概要】
【発明が解決しようとする課題】
【０００５】
しかしながら、特許文献１に記載されたようなこたつ布団の取り付け方法では、鳩目部分を天板に十分押し付けて固定できないので、こたつ布団の内周部に垂れ下がりが生じやすい。また、特許文献２の発明では、取付枠や押え部材あるいは化粧枠といった大掛かりな別部材を用いてこたつ布団を取り付けている。
【０００６】
そこで本発明は、簡単な構成でありながら、こたつ布団の内周部を全体的にしっかりと天板に取り付けることができる布団取り付け構造を備えたこたつの提供を目的とする。
【課題を解決するための手段】
【０００７】
この目的を達成するための本発明のこたつは、天板と、この天板の４隅に設けられた支持脚と、内周部が前記天板の外周部に取り付けられたこたつ布団と、を有するこたつであって、前記こたつ布団の前記内周部の外側には固定プレートが固定され、前記こたつ布団の前記内周部は、前記固定プレートを、前記こたつ布団の前記内周部を挟んで、前記天板の前記外周部、例えば天板裏面の外周部に取り外し可能に接続することにより、前記天板の前記外周部に取り付けられているといった基本的構成を有している。固定プレートの天板外周部への接続は、この固定プレートの周方向又は長さ方向中央部に配置された挿入接続軸部材（挿入接続ピン部材）を用いるが、固定プレートの周方向又は長さ方向中央部が挿入接続軸部材に押されて湾曲するようにして行われる。挿入接続軸部材は、例えばワンタッチ式の接続軸部材、又は、９０°回転させることにより抜け止め状態となって天板外周部と固定プレートとを接続する軸部材である。あるいは、挿入接続軸部材は先端部にフック部を有するものである。こたつ布団は例えば環状（四角環状を含む）に形成され、あるいは、例えば環状（四角環状を含む）に天板に取り付けられる。こたつ布団の内周部の外側とは、こたつ布団の内周部が取り付けられる天板の外周部と反対側を意味する。固定プレートは例えば周方向又は長さ方向に長く又は細長く延びるように形成され、また例えば薄肉に形成される。こたつ布団の角部以外に固定される固定プレートは、例えば長方形状又は細長い長方形状に形成される。こたつ布団の角部に固定プレートを固定する場合には、角部の固定プレートをＬ字状に形成してもよい。固定プレートは、こたつ布団の内周部の一辺部分にそれぞれ、周方向又は長さ方向に間隔を設けて複数個固定されていることが好ましい。こたつ布団の内周部の一辺部分に相当する長さの固定プレートを用いると、こたつ布団の取り扱い性が悪くなる。
【０００８】
こたつ布団の角部に固定プレートを固定し、角部を天板の外周部に取り付ける代わりに、
こたつ布団の角部を支持脚で支えるように構成してもよい。例えば、支持脚の天板への取り付けは、支持脚の上端面から雄ネジシャフトを突出させておき、上端面が天板に接触するまで、雄ネジシャフトを天板の４隅に形成された雌ネジ孔にねじ込むことにより行うことができるが、支持脚の上端部外周に、上端が上端面よりも低く位置する引っ掛けピンを設けておき、こたつ布団に形成された引っ掛け孔に引っ掛けピンを嵌めるようにして、こたつ布団を天板の外周部に取り付けてもよい。
【０００９】
挿入接続軸部材は、例えば、固定プレートの外側の接続頭部と、この接続頭部から、固定プレート及びこたつ布団の内周部を貫通して延びる軸部と、この軸部の先端部に、軸部の延びる方向と直交するように設けられたフック部と、を有するように構成され、天板の外周部には、例えば、接続凹部が設けられる。そして、挿入接続軸部材の軸部を天板外周部の接続凹部に挿入し、接続頭部を操作して挿入接続軸部材を回転させ、フック部を接続凹部の係合部に引っ掛けることにより挿入接続軸部材を抜け止めし、固定プレートをこたつ布団の内周部を挟んで天板の外周部に接続する。より具体的には、固定プレートの周方向又は長さ方向両側を、内側に固定頭部を有する固定ピンによってこたつ布団の内周部に固定しておく。そして、挿入接続軸部材を天板外周部の接続凹部に挿入し、フック部を係合部に引っ掛けるときに、固定プレートが挿入接続軸部材の接続頭部に押され、固定ピンの固定頭部を天板の外周部に押圧するように固定ピンの間で湾曲するといったように構成しておく。ここでは、固定プレートが長さ方向又は周方向の両側で天板外周部に対して強く押し付けられる。固定プレートは、こたつ布団から取り外し、再び取り付けることができるように形成してもよい。
【００１０】
あるいは  本発明のこたつは、天板と、この天板の４隅に設けられた支持脚と、内周部が前記天板の外周部に取り付けられたこたつ布団と、を有するこたつであって、前記こたつ布団の前記内周部の外側には固定プレートが固定され、前記こたつ布団の前記内周部は、前記固定プレートを、前記こたつ布団の前記内周部を挟んで、前記天板の前記外周部に取り外し可能に接続することにより、前記天板の前記外周部に取り付けられていて、前記固定プレートの周方向又は長さ方向両側は、内側に固定頭部を有する固定ピンによって前記こたつ布団の前記内周部に固定され、前記固定プレートは、この固定プレートの周方向又は長さ方向中央部に配置された接続軸部材（接続ネジ部材を含む）によって前記天板の前記外周部に接続され、前記固定プレートの周方向又は長さ方向中央部は、前記接続軸部材に押されて、前記固定ピンの前記固定頭部を前記天板の前記外周部に押圧するように前記固定ピンの間で湾曲しているものとして構成することができる。  
【００１１】
こたつ布団を１つの角部で切断し、切断された部分にファスナを設けておき、このファスナを開くことにより、こたつ布団の角部を内端から外端部又は外端まで開けることができるように構成してもよい。このように構成すれば、こたつ布団の内端部を天板に取り付けやすくなる。また、ファスナが離れる方向に引っ張られて開いてしまうのを防止する開き防止構造を設けておくのが好ましいが、この開き防止構造は、ファスナを堺に、一方側のこたつ布団に基端部が固定され、他方側のこたつ布団に他端部が取り外し可能に接続された開き防止片を有するように構成できる。
【発明の効果】
【００１２】
本発明のこたつでは、固定プレートを接続軸部材によって押え付けるといった簡単な構成でこたつ布団を天板にしっかりと取り付けることができる。
【図面の簡単な説明】
【００１３】
【図１】本発明に係るこたつの斜視図である。
【図２】本発明に係るこたつの断面図である。
【図３】天板の裏面図である。
【図４】こたつ布団の裏面図である。
【図５】支持脚の斜視図である。
【図６】天板に支持脚を接続しこたつ布団を取り付けた場合の裏面図である。
【図７】こたつ布団の支持脚への接続状態を示す図である。
【図８】固定プレートの天板への接続構造を説明するための斜視図である。
【図９】固定プレートの天板への接続構造を説明するための断面図である。
【図１０】固定プレートの天板への接続構造を説明するための別の断面図である。
【図１１】固定プレートの天板への接続構造を説明するためのさらに別の断面図である。
【図１２】本発明に係る別のこたつの裏面図である。
【図１３】別の固定プレートの天板への接続構造を説明するための斜視図である。
【図１４】別の固定プレートの天板への接続構造を説明するための断面図である。
【図１５】別の固定プレートの天板への接続構造を説明するための別の断面図である。
【発明を実施するための形態】
【００１４】
図１は本発明に係るこたつの斜視図、図２は本発明に係るこたつの断面図である。
【００１５】
こたつ１は、例えばプラスチック製又は木製（ＭＤＦ）の天板３と、天板３の４隅角部にそれぞれ取り付けられた例えばプラスチック製又は木製（ＭＤＦ）の支持脚５と、内周部が天板３の裏面７外周部に取り付けられた環状のこたつ布団９とから構成され、天板３は四角形状、より具体的には正方形状であり、天板３の裏面７中央部には金網枠１１で囲まれたヒータが設けられている。
【００１６】
図３は天板３の裏面図、図４はこたつ布団９の裏面図、図５は支持脚５の斜視図、図６は天板３に支持脚５を接続しこたつ布団９を取り付けた場合の裏面図である。
【００１７】
天板３の裏面７外周部には、４隅部でそれぞれ、脚取り付け用の雌ネジ孔１３が形成されるとともに、一辺部でそれぞれ、長さ方向（周方向）に間隔を設けて複数個（ここでは３個）の接続孔１５（接続凹部）が形成されている。
【００１８】
また、こたつ布団９は四角形状、より具体的には正方形状であるが、中央部に四角形状、より具体的には正方形状の切り取り部１７が設けられて環状体（四角環状体）として形成され、切り取り部（内周縁）１７の大きさは、天板３の裏面７の広さよりも小さくあるいは若干小さくなっている。こたつ布団９の内周縁１７の４隅部にはそれぞれ、半円よりも大きな円弧状の切欠き１９が形成されていて、こたつ布団９には、この切欠き１９の外側に、切欠き１９に接近して引っ掛け孔２１が設けられている。そして、こたつ布団９の１つの角部には、外端から内端（切欠き１９）にかけて切断部２３が形成され、この切断部２３にはスライドファスナ２５が取り付けられていて、スライドファスナ２５のスライダ２７をスライドさせることにより切断部２３を開閉することができるように構成されている。そして、スライダ２７をスライドファスナ２５の外端部までスライドさせることにより、スライドファスナ２５の外端部から切断部２３の内端までを開くことができる。また、スライドファスナ２５を閉じているときに、すなわち、スライダ２７がスライドファスナ２５の内端に位置しているときに、スライドファスナ２５に引き離し力が作用し、スライダ２７が外端側に移動して切断部２３の内端側が開いてしまわないように、こたつ布団９の裏面に、スライドファスナ２５の内端部位置で開き防止構造が設けられている。この開き防止構造は、スライドファスナ２５を境に、一方側のこたつ布団９に基端部が固定された開き防止片２９と、他方側のこたつ布団９に取り付けられた接続ボタン３１と、を有し、開き防止片２９の先端部に接続ボタン３１を嵌め入れて係合させるボタン孔３３が形成されたものである。したがって、接続ボタン３１を開き防止片２９のボタン孔３３に嵌め入れることにより、スライドファスナ２５が開いてしまうといったことが防止される。そして、スライドファスナ２５を開けるときには、接続ボタン３１をボタン孔３３から取り外し、接続ボタン３１と開き防止片２９との接続を解除する。なお、スライドファスナ２５によって、切断部２３を全長にわたって開くことができるように構成してもよい。
【００１９】
こたつ布団９の内周部の裏面（外側又は外側面）には、一辺部ごとに、周方向又は長さ方向に間隔を有して複数個（ここでは3個）の固定プレート３５が、天板３の接続孔１５に対応して固定されている。それぞれの固定プレート３５は、弾性を有するプラスチック製であり、周方向又は長さ方向に細長い長方形状に形成されている。
【００２０】
支持脚５は、角柱状の脚本体３７と、この脚本体３７の上側端面に、この上側端面の外縁に内接するように形成された円盤状の上端部３９と、この上端部３９から上方に突出する雄ネジシャフト４１と、円盤状の上端部３９の外周で、脚本体３７の上側端面の角部から突出する引っ掛けピン４３と、を有していて、引っ掛けピン４３の上端は上端部３９の上端面よりも低く位置し、また、円盤状の上端部３９の外周には、引っ掛けピン４３に対応する位置に断面円弧状の凹部４５が形成されている。
【００２１】
天板３、支持脚５及びこたつ布団９からこたつ１を組み立てるには、天板３の裏面７の雌ネジ孔１３に、支持脚５の雄ネジシャフト４１を、上端部３９の上端面が天板３の裏面７と接触するまでねじ込んで支持脚５を天板３に取り付ける。次に、開き防止片２９のボタン孔３３から接続ボタン３１を取り外し、スライドファスナ２５を開いた状態として、こたつ布団９の固定プレート３５を、固定プレート３５側からＴ字ロックピン４７（挿入接続軸部材）を対応する接続孔１５に差し込んでこたつ布団９を天板９に取り付ける。そして、こたつ布団９の引っ掛け孔２１を対応する引っ掛けピン４３に引っ掛ける。上端部３９の凹部４５により、引っ掛け孔２１を引っ掛けピン４３に引っ掛けやすくなっている。この状態では、こたつ布団９の切欠き１９は、支持脚５の上端部３９の外周に沿うようにして位置している（図７参照：図７はこたつ布団９の支持脚５への接続状態を示す図）。その後、スライドファスナ２５を閉めて開き防止片２９のボタン孔３３に接続ボタン３１を嵌め込む。なお、組み立て順序は適宜変更することができる。
【００２２】
図８は固定プレート３５の天板３への接続構造を説明するための斜視図、図９は固定プレート３５の天板３への接続構造を説明するための断面図、図１０は固定プレート３５の天板３への接続構造を説明するための別の断面図、図１１は固定プレート３５の天板３への接続構造を説明するためのさらに別の断面図である。
【００２３】
固定プレート３５には、長さ方向中央部に、長さ方向に長い差込長孔４９が形成され、長さ方向両側に円形状の固定孔５１が一対設けられていて、こたつ布団９の内周部にも、対応するように差込スリット（差込孔）５３及び一対の固定スリット（固定孔）５５が形成されている。こたつ布団９の内周部の表面側（内側）からは、こたつ布団９の固定スリット５５及び固定プレート３５の固定孔５１を貫通して固定ピン５７が差し込まれ、この固定ピン５７によって固定プレート３５がこたつ布団９の内周部に固定されているが、固定ピン５７は、断面外側に向かって膨らむ円弧状の外面あるいは球面の一部としての外面を有する固定頭部５９と、この固定頭部５９から突出する軸部６１と、この軸部６１の先端部外周に形成されたテーパ状抜け止め部６３と、を一体的に有していて、軸部６１は径方向一方側と径方向他方側とに２分割されている。すなわち、軸部６１を径が小さくなるように弾性変形させることができる。したがって、固定ピン５７を先端側から、こたつ布団９の固定スリット５５及び固定プレート３５の固定孔５１に差し込むと、軸部６１の外径と等しい又はほぼ等しい径に形成されている固定孔５１を通過する際に、抜け止め部６３は縮径し、固定プレート３５の固定孔５１を抜け出たところで弾性復帰力により拡径して抜け止め状態となり、固定ピン５７は、こたつ布団９の内周部を十分圧縮してこの内周部に固定プレート３５を固定する。また、抜け止め部６３を縮径させて固定プレート３５の固定孔５１から抜き出せば、固定プレート３５をこたつ布団９から取り外すことができる。
【００２４】
このような固定プレート３５を用いてこたつ布団３５の内端部を天板３の裏面７に取り付けるには、Ｔ字ロックピン４７を、固定プレート３５側から固定プレート３５の差込長孔４９及びこたつ布団９の差込スリット５３に通して、天板３の裏面７の接続孔１５に差し込むこととなるが、Ｔ字ロックピン４７は、大径の接続頭部６５と、この接続頭部６５から突出する軸部６７と、この軸部６７の先端部に設けられた、軸方向と直交するフック部６９と、を一体的に有してＴ字状の抜け止め構造を備えている。また、接続孔１５は、天板３の裏面７に金属製の接続孔形成部材７１を埋め込むことにより形成されているが、接続孔１５は、下側（天板３の裏面７側）の受け入れ部７３と上側（奥側）の収容部７５との間に、フック部６９に対応する通過孔７７（フック部６９の幅に対応する幅の通過孔７７）が形成された係合部７９を備えている。そして、フック部６９が通過孔７７を通過したら、接続頭部６５を回転操作し、フック部６９を９０°回転させて係合部７９と係合させ抜け止め状態とする（図１０参照）。ここでは、固定ピン５７の固定頭部５９が天板３の裏面７に接触し、固定プレート３５が一直線状となるようにＴ字ロックピン４７の接続頭部６５で固定プレート３５を押していっても、フック部６９が係合部７９又は通過孔７７を通過しないように構成されている。すなわち、図１０に示すように、固定プレート３５が、Ｔ字ロックピン４７の接続頭部６５で押え付けられて、固定ピン５７の間で上側（天板３側）にへこむように湾曲し、固定プレート３５又は固定プレート３５の長さ方向両側が、十分圧縮されたこたつ布団９及び固定ピン５７の固定頭部５９を介して天板３の裏面７に強く押し付けられる状態となったときに、フック部６９を係合部７９と係合させて抜け止め状態とすることができる。すなわち、フック部６９が通過孔７７を抜け出て回転させることが可能となる。フック部６９の係合部７９との係合は、固定プレート３５の固定ピン５７間での湾曲と、十分圧縮されたこたつ布団９及び固定ピン５７の固定頭部５９を介しての固定プレート３５の天板３の裏面７への強い押し付け状態を維持する。なお、こたつ布団９を天板３から取り外すには、Ｔ字ロックピン４７を回転させて接続孔１５から抜き取ればよい。
【００２５】
図１２は本発明に係る別のこたつ８１の裏面図、図１３は別の固定プレート８３の天板３への接続構造を説明するための斜視図、図１４は別の固定プレート８３の天板３への接続構造を説明するための断面図、図１５は別の固定プレート８３の天板３への接続構造を説明するための別の断面図である。
【００２６】
別のこたつ８１は、こたつ布団９の内周部の角部の取り付け構造を変更したものであり、その他の構成は基本的にはこたつ1と同一であるので、同一の部分には同一の符号を付すなどして説明を省略する。
【００２７】
別のこたつ８１では、こたつ布団９の内周部の角部を支持脚５で支える代わりに、直角に曲がったあるいはＬ字型の固定プレート８３をこたつ布団９の内周部の角部外側に固定しておく。固定プレート８３のこたつ布団９への固定は、固定プレート８３の周方向両側に、円形状の固定孔５１を一対設けておき、こたつ布団９の内周部にも、対応するように一対の固定スリット（固定孔）５５を形成しておいて、こたつ１と同様に、固定ピン５７を用いて行われる。また、このような固定プレート８３を用いてこたつ布団９の内周部の角部を天板３の裏面７に取り付けるには、固定プレート８３の長さ方向中央部に、差込長孔４９（ここでは対角方向に長い長孔）を形成し、こたつ布団９の内周部の角部にも、対応するように差込スリット（差込孔）５３を形成しておいて、こたつ１と同様に、Ｔ字ロックピン４７を用いて行われる。ここでも、固定ピン５７の固定頭部５９が天板３の裏面９に接触し、固定プレート８３がフラットとなるようにＴ字ロックピン４７の接続頭部６５で固定プレート８３を押していっても、フック部６９が接続孔１５の係合部７９又は通過孔７７を通過しないように構成されている。すなわち、図１５に示すように、固定プレート８３が、固定ピン５７の間で上側（天板３側）にへこむように湾曲し、固定プレート８３が、十分圧縮されたこたつ布団９及び固定ピン５７の固定頭部５９を介して天板３の裏面７に強く押し付けられる状態となったときに、フック部６９を係合部７９と係合させて抜け止め状態とすることができる。すなわち、フック部６９が通過孔７７を抜け出て回転させることが可能となる。フック部６９の係合部７９との係合は、固定プレート３５の固定ピン５７間での湾曲と、十分圧縮されたこたつ布団９及び固定ピン５７の固定頭部５９を介しての固定プレート３５の天板３の裏面７への強い押し付け状態を維持する。なお、こたつ布団９を天板３から取り外すには、Ｔ字ロックピン４７を回転させて接続孔１５から抜き取ればよい。
【００２８】
なお、ここでは、こたつ布団９の内周部の角部に切欠き１７は形成されていないし、こたつ布団９に切断部２３も形成されていない。また、支持脚５は、こたつ１よりも若干内側に取り付けられ（雌ネジ孔１３が若干内側に配置されている）、支持脚５の上端部は断面正方形状に形成されている。
【産業上の利用可能性】
【００２９】
本発明のこたつは取り扱い性及び暖房機能に優れたものである。  
【符号の説明】
【００３０】
１、８１      こたつ    
３            天板
５            支持脚
７            裏面
９            こたつ布団
３５、８３    固定プレート
４７          Ｔ字ロックピン（挿入接続軸部材）
【図１】
2011106797.tif 000003
【図２】
2011106797.tif 000004
【図３】
2011106797.tif 000005
【図４】
2011106797.tif 000006
【図５】
2011106797.tif 000007
【図６】
2011106797.tif 000008
【図７】
2011106797.tif 000009
【図８】
2011106797.tif 000010
【図９】
2011106797.tif 000011
【図１０】
2011106797.tif 000012
【図１１】
2011106797.tif 000013
【図１２】
2011106797.tif 000014
【図１３】
2011106797.tif 000015
【図１４】
2011106797.tif 000016
【図１５】
2011106797.tif 000017